(57)【特許請求の範囲】
【請求項１】
作業現場の環境を示す環境情報を取得する取得手段と、
前記取得手段により取得された前記環境情報と、前記作業現場での作業内容と、に基づいて、前記作業現場の環境における材料別注意事項を生成する第１生成手段と、
前記第１生成手段により生成された前記材料別注意事項を出力する第１出力手段と、
材料名と、前記材料別注意事項を生成する前記環境情報の条件と、作業時の注意事項と、が対応付けられて記憶された材料別注意事項情報記憶手段と、
を備え、
前記第１生成手段は、前記取得手段により取得された前記環境情報に基づいて、前記材料別注意事項を生成する前記環境情報の条件に該当するか否か判断し、前記条件に該当すると判断した場合に、作業時の注意事項を前記材料別注意事項情報記憶手段から取得して前記材料別注意事項を生成する作業管理装置。
【請求項２】
前記取得手段は、作業現場にある端末装置から前記環境情報を取得する請求項１に記載の作業管理装置。
【請求項３】
前記取得手段は、外部ネットワークを介して前記環境情報を取得する請求項１に記載の作業管理装置。
【請求項４】
前記取得手段により取得された前記環境情報と、前記作業現場での作業内容と、に基づいて、前記作業現場の環境における作業別注意事項を生成する第２生成手段と、
前記第２生成手段により生成された前記作業別注意事項を出力する第２出力手段と、
作業名と、前記作業別注意事項を生成する前記環境情報の条件と、作業時の注意事項と、が対応付けられて記憶された作業別注意事項情報記憶手段を備え、
前記第２生成手段は、前記取得手段により取得された前記環境情報に基づいて、前記作業別注意事項を生成する前記環境情報の条件に該当するか否か判断し、前記条件に該当すると判断した場合、作業時の注意事項を前記作業別注意事項情報記憶手段から取得して前記作業別注意事項を生成する請求項１〜３の何れか一項に記載の作業管理装置。
【請求項５】
前記第２出力手段は、前記第２生成手段により生成された前記作業別注意事項を、作業現場にて行う作業に対応する作業時に出力する請求項４に記載の作業管理装置。
【請求項６】
前記第１出力手段は、前記第１生成手段により生成された前記材料別注意事項を、作業現場にて使用する材料に対応する作業時に出力する請求項１〜５の何れか一項に記載の作業管理装置。
【請求項７】
作業スケジュールと、作業者とが対応付けられて記憶された案件情報記憶手段を備え、
前記第１出力手段は、前記材料別注意事項に対応する作業現場で作業を行う作業者を前記案件情報記憶手段から抽出し、抽出した作業者の端末装置に前記材料別注意事項を送信する請求項１〜６の何れか一項に記載の作業管理装置。
【請求項８】
所定のデータベースを有したコンピュータを、
作業現場の環境を示す環境情報を取得する取得手段、
前記取得手段により取得された前記環境情報と、前記作業現場での作業内容と、に基づいて、前記作業現場の環境における材料別注意事項を生成する生成手段、
前記生成手段により生成された前記材料別注意事項を出力する出力手段、
として機能させ、
前記生成手段は、前記データベースに基づいて、前記取得手段により取得された前記環境情報が、前記材料別注意事項を生成すべきとして予め定められた条件に該当するか否かを判断するとともに、該当すると判断した場合には、作業時の注意事項を前記データベースから取得して前記材料別注意事項を生成し、
前記データベースには、材料名と、前記材料別注意事項を生成する前記環境情報の条件と、作業時の注意事項と、が対応付けられて記憶されているプログラム。
【発明の詳細な説明】
【技術分野】
【０００１】
本発明は、作業管理装置及びプログラムに関する。
【背景技術】
【０００２】
建設等の工事作業、点検や修理等の保守作業を行うにあたっては、作業者の危険性を低減させるため、作業者や管理会社が作業現場の状況を把握できることが望ましい。例えば、特許文献１には、作業現場の環境情報を遠隔地にリアルタイムに報知して、作業者の危険性等を遠隔地において認識可能とさせる携帯通信端末機について記載されている。
【先行技術文献】
【特許文献】
【０００３】
【特許文献１】特開２００６−２３９１９７号公報
【発明の概要】
【発明が解決しようとする課題】
【０００４】
しかしながら、上記特許文献１の技術は、作業を行っている時点での携帯通信端末機の測定値を遠隔地にある装置に送信するだけのものであって、作業者や管理者が、その作業現場の環境に応じた注意事項を把握することはできないものであった。
【０００５】
本発明の課題は、作業現場の環境と作業現場での作業内容とに応じた注意事項を把握することである。
【課題を解決するための手段】
【０００６】
上記課題を解決するため、本発明に係る作業管理装置は、作業現場の環境を示す環境情報を取得する取得手段と、前記取得手段により取得された前記環境情報と、前記作業現場での作業内容と、に基づいて、前記作業現場の環境における材料別注意事項を生成する第１生成手段と、前記第１生成手段により生成された前記材料別注意事項を出力する第１出力手段と、材料名と、前記材料別注意事項を生成する前記環境情報の条件と、作業時の注意事項と、が対応付けられて記憶された材料別注意事項情報記憶手段と、を備え、前記第１生成手段は、前記取得手段により取得された前記環境情報に基づいて、前記材料別注意事項を生成する前記環境情報の条件に該当するか否か判断し、前記条件に該当すると判断した場合に、作業時の注意事項を前記材料別注意事項情報記憶手段から取得して前記材料別注意事項を生成することを特徴とする。
また、本発明に係るプログラムは、所定のデータベースを有したコンピュータを、作業現場の環境を示す環境情報を取得する取得手段、前記取得手段により取得された前記環境情報と、前記作業現場での作業内容と、に基づいて、前記作業現場の環境における材料別注意事項を生成する生成手段、前記生成手段により生成された前記材料別注意事項を出力する出力手段、として機能させ、前記生成手段は、前記データベースに基づいて、前記取得手段により取得された前記環境情報が、前記材料別注意事項を生成すべきとして予め定められた条件に該当するか否かを判断するとともに、該当すると判断した場合には、作業時の注意事項を前記データベースから取得して前記材料別注意事項を生成し、前記データベースには、材料名と、前記材料別注意事項を生成する前記環境情報の条件と、作業時の注意事項と、が対応付けられて記憶されていることを特徴とする。
【発明の効果】
【０００７】
本発明によれば、作業現場の環境と作業現場での作業内容とに応じた注意事項を把握することができる。
【図面の簡単な説明】
【０００８】
【図１】作業管理システムを示すブロック図である。
【図２】データ記憶部の構成を示す図である。
【図３】工事案件情報テーブルの構成を示す図である。
【図４】現場位置情報テーブルの構成を示す図である。
【図５】住所情報テーブルの構成を示す図である。
【図６】種類情報テーブルの構成を示す図である。
【図７】作業別注意事項情報テーブルの構成を示す図である。
【図８】材料別注意事項情報テーブルの構成を示す図である。
【図９】環境情報テーブルの構成を示す図である。
【図１０】情報値テーブルの構成を示す図である。
【図１１】環境情報記録処理を示すフローチャートである。
【図１２】画像注意情報作成処理を示すフローチャートである。
【図１３】画像注意情報作成処理の結果、表示部に表示された画像注意情報の一例を示す図である。
【図１４】文字注意情報作成処理を示すフローチャートである。
【図１５】文字注意情報作成処理を示すフローチャートである。
【図１６】文字注意情報作成処理の結果、表示部に表示された文字注意情報の一例を示す図である。
【発明を実施するための形態】
【０００９】
以下、添付図面を参照して本発明に係る実施の形態を詳細に説明する。なお、本発明は、図示例に限定されるものではない。
【００１０】
先ず、図１〜図１０を参照して、本実施形態の作業管理システム１のシステム構成を説明する。
【００１１】
図１は、作業管理システム１を示すブロック図である。
図１に示すように、作業管理システム１は、サーバ装置１０と、端末装置２０と、を備え、サーバ装置１０及び端末装置２０は、通信ネットワークＮを介して互いに接続されている。
【００１２】
サーバ装置１０は、作業現場の作業員が保有する端末装置２０に対して、作業現場の環境に応じた注意事項を送信する作業管理装置である。
ここで、環境情報とは、例えば、温度、湿度、天気、近隣の騒音（音）などの変化する環境因子である。
端末装置２０は、環境情報の測定値のサーバ装置１０への送信と、サーバ装置１０から受信した注意事項の表示と、を行う装置である。端末装置２０としては、例えば、携帯電話、タブレット型ＰＣ（Personal Computer）等が挙げられる。
なお、図１では、作業管理システム１が、一台の端末装置２０を備える構成を示しているが、複数台の端末装置２０を備える構成であってもよいのは勿論である。
【００１３】
サーバ装置１０の内部の機能構成を説明する。
サーバ装置１０は、例えば、取得手段、生成手段、出力手段としてのＣＰＵ（Central Processing Unit）１１と、操作部１２と、ＲＡＭ（Random Access Memory）１３と、表示部１４と、記憶部１５と、通信部１６と、を備える。サーバ装置１０の各部は、バス１７を介して互いに接続されている。
【００１４】
ＣＰＵ１１は、サーバ装置１０の各部を制御する。ＣＰＵ１１は、各種プログラムのうち指定されたプログラムを記憶部１５から読み出してＲＡＭ１３に展開し、展開されたプログラムとの協働で各種処理を実行する。
【００１５】
ＣＰＵ１１は、画像注意情報作成プログラム１５２を実行し、後述の画像注意情報作成処理を実行し、画像注意情報を作成する。また、ＣＰＵ１１は、文字注意情報作成プログラム１５１を実行し、後述の文字注意情報作成処理を実行し、文字注意情報を作成する。そして、ＣＰＵ１１は、画像注意情報や文字注意情報を表示部１４に表示させたり、端末装置２０に送信する。
【００１６】
操作部１２は、各種文字等の入力用のキーを有するキーボードを備え、各キー入力に応じた操作情報をＣＰＵ１１に出力する。
【００１７】
ＲＡＭ１３は、揮発性の半導体メモリ等により構成され、各種データ及び各種プログラムを格納するワークエリアを有する。
【００１８】
表示部１４は、ＬＣＤ（Liquid Crystal Display）、ＥＬ（ElectroLuminescent）ディスプレイ等の表示パネルを備える表示部であり、ＣＰＵ１１から入力される表示情報に応じて表示パネルに各種表示を行う。
【００１９】
記憶部１５は、ＨＤＤ（Hard Disk Drive）等により構成され、各種データ及び各種プログラムの情報を読み出し及び書き込み可能となっている。
記憶部１５は、プログラム記憶部１５Ａ及びデータ記憶部１５Ｂを備えている。
プログラム記憶部１５Ａには、文字注意情報作成プログラム１５１、画像注意情報作成プログラム１５２が格納されている。
図２は、データ記憶部１５Ｂの構成を示す図である。
データ記憶部１５Ｂには、各種情報テーブル（工事案件情報テーブルＴ１、現場位置情報テーブルＴ２、住所情報テーブルＴ３、種類情報テーブルＴ４、作業別注意事項情報テーブルＴ５、材料別注意事項情報テーブルＴ６、環境情報テーブルＴ７、情報値テーブルＴ８）が記憶されている。なお、各種情報テーブルの詳細については、後述する。
【００２０】
通信部１６は、ネットワークカード等を有し、通信ネットワークＮ上の機器としての端末装置２０と情報の送受信を行う。
【００２１】
次に、端末装置２０の内部の機能構成を説明する。
端末装置２０は、例えば、ＣＰＵ２１と、操作部２２と、ＲＡＭ２３と、表示部２４と、記憶部２５と、通信部２６と、を備える。端末装置２０の各部は、バス２７を介して互いに接続されている。
【００２２】
ＣＰＵ２１、操作部２２、ＲＡＭ２３、表示部２４、記憶部２５、通信部２６は、サーバ装置１０のＣＰＵ１１、操作部１２、ＲＡＭ１３、表示部１４、記憶部１５、通信部１６と同様の構成であり、説明の重複を避けるため、異なる構成を主として説明する。
【００２３】
ＣＰＵ２１は、作業者の操作を受け付け、通信部２６により環境情報の測定値をサーバ装置１０に送信する。また、ＣＰＵ２１は、サーバ装置１０から送信された注意事項を受信すると、文字注意情報表示プログラム２５１や画像注意情報表示プログラム２５２を実行し、文字注意情報や画像注意情報を表示部２４に表示する。
【００２４】
記憶部２５には、例えば、文字注意情報表示プログラム２５１、画像注意情報表示プログラム２５２などが記憶されている。通信部２６は、通信ネットワークＮ上の機器としてのサーバ装置１０と情報の送受信を行う。
【００２５】
次に、図３〜図１０を参照して、サーバ装置１０の記憶部１５に記憶される各種テーブルの構成を説明する。
【００２６】
図３は、工事案件情報テーブルＴ１の構成を示す図である。
工事案件情報テーブルＴ１は、受注した案件内容を示す情報を有するテーブルであり、案件情報記憶手段として機能している。図３に示すように、工事案件情報テーブルＴ１には、案件名と、作業スケジュール（日時、住所、作業名）と、作業者と、が対応づけられた工事案件情報が記憶されている。
工事案件情報は、工事を受注した際に、工事案件情報テーブルＴ１に記憶される。
【００２７】
図４は、現場位置情報テーブルＴ２の構成を示す図である。
現場位置情報テーブルＴ２は、作業現場の位置を特定するための情報を有するテーブルである。図４に示すように、現場位置情報テーブルＴ２には、現場名と、位置情報と、が対応づけられた現場位置情報が記憶されている。
現場位置情報は、工事を受注した際に、専用のアプリケーションにて現場名に対応する位置情報が取得され、現場位置情報テーブルＴ２に記憶される。
図４の例では、現場位置情報として、「○○邸が位置１（２０００，５０００）であること」、「××邸が位置２（２４００，６０００）であること」が記憶されている。
【００２８】
図５は、住所情報テーブルＴ３の構成を示す図である。
住所情報テーブルＴ３は、位置に対応する住所を特定するための情報を有するテーブルである。図５に示すように、住所情報テーブルＴ３には、位置情報と、住所と、が対応づけられた住所情報が記憶されている。
住所情報は、工事を受注した際に、専用のアプリケーションにて位置情報に対応する住所が取得され、住所情報テーブルＴ３に記憶される。
図５の例では、住所情報として、「位置１（２０００，５０００）が練馬区ＸＸＸであること」、「位置２（２４００，６０００）が杉並区ＹＹＹであること」が記憶されている。
【００２９】
図６は、種類情報テーブルＴ４の構成を示す図である。
種類情報テーブルＴ４は、環境を評価する基準を特定するための情報を有するテーブルである。図６に示すように、種類情報テーブルＴ４には、温度や湿度などの情報種と、各情報に対する下限値と、各情報に対する上限値と、各情報に対する色と、が対応づけられた種類情報が予め記憶されている。
図６の例では、種類情報として、「温度、下限値４、上限値２５、赤」、「湿度、下限値２０、上限値８０、緑」が記憶されている。
【００３０】
図７は、作業別注意事項情報テーブルＴ５の構成を示す図である。
作業別注意事項情報テーブルＴ５は、作業内容別の注意事項を示す情報を有するテーブルであり、作業別注意事項情報記憶手段として機能している。図７に示すように、作業別注意事項情報テーブルＴ５には、作業名と、状態と、注意事項と、が対応づけられた作業別注意事項情報が予め記憶されている。
図７の例では、作業別注意事項情報として、例えば「２５度以上のコンクリート打設において、コンクリートと他の物質との接触面を濡らしておく等の注意事項」などが記憶されている。
【００３１】
図８は、材料別注意事項情報テーブルＴ６の構成を示す図である。
材料別注意事項情報テーブルＴ６は、材料別の注意事項を示す情報を有するテーブルであり、材料別注意事項情報記憶手段として機能している。図８に示すように、材料別注意事項情報テーブルＴ６には、材料名と、状態と、注意事項と、が対応づけられた材料別注意事項情報が予め記憶されている。
図８の例では、材料別注意事項情報として、例えば「２５度以上のコンクリートにおいて、使用する材料を低温のものにする等の注意事項」などが記憶されている。
【００３２】
図９は、環境情報テーブルＴ７の構成を示す図である。
環境情報テーブルＴ７は、現場の環境を示す情報（環境情報）を有するテーブルである。図９に示すように、環境情報テーブルＴ７には、位置情報と、情報種と、値と、日時と、が対応づけられた環境情報が記憶されている。
なお、本実施形態において、環境情報は端末装置２０から送信されて環境情報テーブルＴ７に記憶されるが、これ以外にも、外部ネットワークを介して作業現場の環境情報を取得し、環境情報テーブルＴ７に記憶する構成であっても良い。
図９では、例えば、環境情報として、「２０１４年５月６日１０時、位置１（２４００，６０００）において、湿度が値１０であること」が記憶されている。
【００３３】
図１０は、情報値テーブルＴ８の構成を示す図である。
情報値テーブルＴ８は、複数の作業現場と、その作業現場の環境を示す情報を紐づけしたテーブルである。図１０に示すように、情報値テーブルＴ８は、現場位置情報Ｔ８−１と、個別現場位置情報Ｔ８−２と、値情報Ｔ８−３と、から構成されている。
【００３４】
次に、図１１〜図１６を参照して、作業管理システム１の動作を説明する。
【００３５】
［環境情報記録処理］
環境情報記録処理とは、端末装置２０から定期的に送信される環境情報の測定値のうち、予め設定された範囲外のものを記録する処理である。
図１１は、環境情報記録処理を示すフローチャートである。
図１１に示すように、端末装置２０において、作業者の操作部２２への操作により環境情報の測定値を送信する指示が入力されると、ＣＰＵ２１は、通信部２６によりサーバ装置１０に通信のアクセスを行い、測定値をサーバ装置１０に送信する。
すると、サーバ装置１０において、ＣＰＵ１１は、通信部１６を介して測定値を端末装置２０から受信する（ステップＳ１１）。
次いで、ＣＰＵ１１は、予め記憶部１５に記憶された設定値を取得する（ステップＳ１２）。設定値とは、測定値の基準範囲を示す値であり、予め設定され、記憶部１５に記憶されている。
次いで、ＣＰＵ１１は、受信した測定値が、設定値の範囲外か否かを判断し（ステップＳ１３）、範囲外でない場合（ステップＳ１３：ＮＯ）、本処理を終了する。
一方、範囲外の場合（ステップＳ１３：ＹＥＳ）、受信した測定値を記憶部１５の環境情報テーブルＴ７（図９）に記憶し（ステップＳ１４）、本処理を終了する。
【００３６】
［画像注意情報作成処理］
画像注意情報作成処理とは、サーバ装置１０や端末装置２０からの指示による任意のタイミングで画像注意情報を生成し、サーバ装置１０の表示部１４や、端末装置２０の表示部２４に表示（出力）させる処理である。
ここでは、サーバ装置１０の表示部１４に画像注意情報を表示させることとする。
図１２は、画像注意情報作成処理を示すフローチャートである。
【００３７】
先ず、操作部１２から環境情報の閲覧を開始する指示が入力される（ステップＳ１０１）と、ＣＰＵ１１は、環境情報テーブルＴ７（図９）から環境情報を取得する（ステップＳ１０２）。
【００３８】
次いで、ＣＰＵ１１は、環境情報があるか否かを判断し（ステップＳ１０３）、環境情報がない場合（ステップＳ１０３：ＮＯ）、後述のステップＳ１１３に移行する。
一方、環境情報がある場合（ステップＳ１０３：ＹＥＳ）、ＣＰＵ１１は、現場位置情報テーブルＴ２（図４）から現場位置情報を取得する（ステップＳ１０４）。
【００３９】
次いで、ＣＰＵ１１は、現場位置情報があるか否かを判断し（ステップＳ１０５）、現場位置情報がない場合（ステップＳ１０５：ＮＯ）、後述のステップＳ１１３に移行する。
一方、現場位置情報がある場合（ステップＳ１０５：ＹＥＳ）、ＣＰＵ１１は、環境情報と現場位置情報における位置情報が一致するか否かを判断する（ステップＳ１０６）。
【００４０】
そして、環境情報と現場位置情報における位置情報が一致しない場合（ステップＳ１０６：ＮＯ）、ＣＰＵ１１は、現場位置情報テーブルＴ２（図４）から次の現場位置情報を取得し（ステップＳ１０７）、上記ステップＳ１０６に戻って以降の処理を繰り返す。
【００４１】
一方、環境情報と現場位置情報における位置情報が一致する場合（ステップＳ１０６：ＹＥＳ）、ＣＰＵ１１は、情報値テーブルＴ８（図１０）における現場位置情報Ｔ８−１が作成されているか否かを判断し（ステップＳ１０８）、既に作成されている場合（ステップＳ１０８：ＹＥＳ）、後述のステップＳ１１１に移行する。
【００４２】
また、情報値テーブルＴ８（図１０）における現場位置情報Ｔ８−１が作成されていない場合（ステップＳ１０８：ＮＯ）、ＣＰＵ１１は、情報値テーブルＴ８（図１０）における現場位置情報Ｔ８−１を作成し（ステップＳ１０９）、情報値テーブルＴ８（図１０）における個別現場位置情報Ｔ８−２を作成し（ステップＳ１１０）、情報値テーブルＴ８（図１０）における値情報Ｔ８−３を作成する（ステップＳ１１１）。
【００４３】
次いで、ＣＰＵ１１は、環境情報テーブルＴ７（図９）から次の環境情報を取得し（ステップＳ１１２）、上記ステップＳ１０３に戻って以降の処理を繰り返す。
【００４４】
また、上記ステップＳ１０３において環境情報がないと判断した場合、或いは、上記ステップＳ１０５において現場位置情報がないと判断した場合、ＣＰＵ１１は、情報値テーブルＴ８（図１０）における値情報Ｔ８−３を取得する（ステップＳ１１３）。
【００４５】
次いで、ＣＰＵ１１は、値情報Ｔ８−３があるか否かを判断し（ステップＳ１１４）、値情報Ｔ８−３がない場合（ステップＳ１１４：ＮＯ）、本処理を終了する。
一方、値情報Ｔ８−３がある場合（ステップＳ１１４：ＹＥＳ）、ＣＰＵ１１は、種類情報テーブルＴ４（図６）を参照し、値情報Ｔ８−３の情報種に応じて、表示させる円の色を決定する（ステップＳ１１５）。
【００４６】
次いで、ＣＰＵ１１は、ＣＰＵ１１は、種類情報テーブルＴ４（図６）を参照し、値情報Ｔ８−３の値の大きさに応じて、表示させる円の大きさを決定する（ステップＳ１１６）。
【００４７】
次いで、ＣＰＵ１１は、表示部１４に地図を表示させ、その地図上の作業現場に対応する位置に、ステップＳ１１５、１１６で決定した色及び大きさの円（画像情報）を表示する（ステップＳ１１７）。
【００４８】
次いで、ＣＰＵ１１は、情報値テーブルＴ８（図１０）における次の値情報Ｔ８−３を取得し（ステップＳ１１８）、上記ステップＳ１１４に戻って、以降の処理を繰り返す。
【００４９】
図１３は、上記画像注意情報作成処理の結果、表示部１４に表示された画像注意情報Ｇ１の一例を示す図である。
図１３の例では、地図上の○○邸及び××邸に対応する位置に、それぞれ温度及び湿度に関する環境情報として円が表示されている。円の大きさは、環境情報の情報量によって異なり、円の色は、情報種によって異なっている。なお、ここでは地図上に円が描かれた画像注意情報を例示したが、環境を示す図柄は、円に限定されない。例えば、情報種によって図柄を異ならせる等であっても良い。
【００５０】
［文字注意情報作成処理］
文字注意情報作成処理とは、端末装置２０から環境情報が送信されたタイミングで文字注意情報を生成し、端末装置２０の表示部２４に表示（出力）させる処理である。即ち、文字注意情報作成処理は、環境情報記録処理と連続して実行される。
図１４、図１５は、文字注意情報作成処理を示すフローチャートである。
【００５１】
先ず、ＣＰＵ１１は、端末装置２０から環境情報が送信され、環境情報テーブルＴ７（図９）に環境情報を記録する（ステップＳ２０１）と、情報値テーブルＴ８（図１０）の現場位置情報Ｔ８−１を取得する（ステップＳ２０２）。
【００５２】
次いで、ＣＰＵ１１は、現場位置情報Ｔ８−１があるか否かを判断し（ステップＳ２０３）、現場位置情報Ｔ８−１がない場合（ステップＳ２０３：ＮＯ）、本処理を終了する。
一方、現場位置情報Ｔ８−１がある場合（ステップＳ２０３：ＹＥＳ）、ＣＰＵ１１は、情報値テーブルＴ８（図１０）の個別現場位置情報Ｔ８−２を取得し（ステップＳ２０４）、次いで、情報値テーブルＴ８（図１０）の値情報Ｔ８−３を取得する（ステップＳ２０５）。
【００５３】
次いで、ＣＰＵ１１は、情報値テーブルＴ８（図１０）における値情報Ｔ８−３があるか否かを判断し（ステップＳ２０６）、値情報Ｔ８−３がない場合（ステップＳ２０６：ＮＯ）、情報値テーブルＴ８（図１０）の次の現場位置情報Ｔ８−１を取得し（ステップＳ２０７）、上記ステップＳ２０３に戻って以降の処理を繰り返す。
【００５４】
一方、値情報Ｔ８−３がある場合（ステップＳ２０６：ＹＥＳ）、ＣＰＵ１１は、住所情報テーブルＴ３（図５）を参照し、上記ステップＳ２０４で取得した個別現場位置情報Ｔ８−２の位置情報に対応する住所を取得する（ステップＳ２０８）。
【００５５】
次いで、ＣＰＵ１１は、工事案件情報テーブルＴ１（図３）における工事案件情報を取得する（ステップＳ２０９）。
【００５６】
次いで、ＣＰＵ１１は、工事案件情報があるか否かを判断し（ステップＳ２１０）、工事案件情報がない場合（ステップＳ２１０：ＮＯ）、情報値テーブルＴ８における次の値情報Ｔ８−３を取得し（ステップＳ２１１）、その後、上記ステップＳ２０５に戻って以降の処理を繰り返す。
【００５７】
一方、工事案件情報がある場合（ステップＳ２１０：ＹＥＳ）、ＣＰＵ１１は、工事案件情報における日時と住所とが、上記ステップＳ２０１で記録した環境情報の日時と、上記ステップＳ２０８で取得した住所とに一致するか否かを判断し（ステップＳ２１２）、一致しない場合（ステップＳ２１２：ＮＯ）、工事案件情報テーブルＴ１（図３）における次の工事案件情報を取得し（ステップＳ２１３）、その後、上記ステップＳ２１０に戻って以降の処理を繰り返す。
【００５８】
一方、一致する場合（ステップＳ２１２：ＹＥＳ）、ＣＰＵ１１は、工事案件情報の作業名を取得する（ステップＳ２１４）。
【００５９】
次いで、ＣＰＵ１１は、作業別注意事項情報テーブルＴ５（図７）における作業別注意事項情報を取得する（ステップＳ２１５）。
【００６０】
次いで、ＣＰＵ１１は、作業別注意事項情報があるか否かを判断し（ステップＳ２１６）、作業別注意事項情報がない場合（ステップＳ２１６：ＮＯ）、後述のステップＳ２２１に移行する。
【００６１】
一方、作業別注意事項情報がある場合（ステップＳ２１６：ＹＥＳ）、ＣＰＵ１１は、作業別注意事項情報の作業名が、上記ステップＳ２１４で取得した作業名と一致し、且つ上記ステップＳ２０５で取得した値が所定の条件に一致しているか否かを判断する（ステップＳ２１７）。
【００６２】
そして、一致していない場合（ステップＳ２１７：ＮＯ）、ＣＰＵ１１は、作業別注意事項情報テーブルＴ５（図７）における次の作業別注意事項情報を取得し（ステップＳ２１８）、その後、上記ステップＳ２１６に戻って以降の処理を繰り返す。
【００６３】
一方、一致している場合（ステップＳ２１７：ＹＥＳ）、ＣＰＵ１１は、作業別注意事項情報の注意事項（注意情報）を取得する（ステップＳ２１９）。
次いで、ＣＰＵ１１は、工事案件情報テーブルＴ１（図３）における作業者名を抽出し、取得した注意事項をその作業者の端末装置２０に対して送信する（ステップＳ２２０）。
【００６４】
次いで、ＣＰＵ１１は、工事案件情報テーブルＴ１（図３）における材料名を取得する（ステップＳ２２１）。
【００６５】
次いで、ＣＰＵ１１は、材料別注意事項情報テーブルＴ６（図８）における材料別注意事項情報を取得する（ステップＳ２２２）。
【００６６】
次いで、ＣＰＵ１１は、材料別注意事項情報があるか否かを判断し（ステップＳ２２３）、材料別注意事項情報がない場合（ステップＳ２２３：ＮＯ）、本処理を終了する。
【００６７】
一方、材料別注意事項情報がある場合（ステップＳ２２３：ＹＥＳ）、ＣＰＵ１１は、
材料別注意事項情報の材料名が、上記ステップＳ２２１で取得した材料名と一致し、且つ上記ステップＳ２０５で取得した値が所定の条件に一致しているか否かを判断する（ステップＳ２２４）。
【００６８】
そして、一致していない場合（ステップＳ２２４：ＮＯ）、ＣＰＵ１１は、材料別注意事項情報テーブルＴ６（図８）における次の材料別注意事項情報を取得し（ステップＳ２２５）、その後、上記ステップＳ２２３に戻って以降の処理を繰り返す。
【００６９】
一方、一致している場合（ステップＳ２２４：ＹＥＳ）、ＣＰＵ１１は、材料別注意事項情報の注意事項（注意情報）を取得する（ステップＳ２２６）。
次いで、ＣＰＵ１１は、工事案件情報テーブルＴ１（図３）における作業者名を抽出し、取得した注意事項をその作業者の端末装置２０に対して送信し（ステップＳ２２７）、本処理を終了する。
【００７０】
図１６は、上記文字注意情報作成処理の結果、表示部２４に表示された文字注意情報Ｇ２の一例を示す図である。
図１６の例では、生コンクリートを用いるコンクリート打設においては、練混ぜて、運搬されたコンクリートを所定の位置に詰め込むこと等が、注意事項として表示されている。
【００７１】
以上のように、本実施形態によれば、サーバ装置１０のＣＰＵ１１は、作業現場の環境を示す環境情報を取得し、取得された環境情報と、作業現場での作業内容と、に基づいて、注意事項を生成し、生成された注意事項を出力する。
このため、サーバ装置１０の表示部１４や端末装置２０の表示部２４において注意事項が出力・表示され、作業者や管理者が作業現場の環境に応じた注意事項を把握することができる。
【００７２】
また、本実施形態によれば、サーバ装置１０のＣＰＵ１１は、作業現場にある端末装置２０から環境情報を取得する。
このため、各作業現場にて実測された環境情報を収集することができる。
【００７３】
また、本実施形態によれば、サーバ装置１０のＣＰＵ１１は、外部ネットワークを介して前記環境情報を取得する。
このため、より多くの環境情報を収集することができる。
【００７４】
また、本実施形態によれば、作業名と、注意事項を生成する環境情報の条件と、作業時の注意事項と、が対応付けられて記憶された作業別注意事項情報テーブルＴ５を備え、サーバ装置１０のＣＰＵ１１は、取得された環境情報に基づいて、注意事項を生成する環境情報の条件に該当するか否か判断し、条件に該当すると判断した場合、作業現場にて行う作業に対応する作業時に注意事項を取得して注意事項を生成する。
このため、行う作業に応じた適切な注意事項を生成することができる。
【００７５】
また、本実施形態によれば、材料名と、注意事項を生成する環境情報の条件と、作業時の注意事項と、が対応付けられて記憶された材料別注意事項情報テーブルＴ６を備え、サーバ装置１０のＣＰＵ１１は、取得された環境情報に基づいて、注意事項を生成する環境情報の条件に該当するか否か判断し、条件に該当すると判断した場合、作業現場にて使用する材料に対応する作業時に注意事項を取得して注意事項を生成する。
このため、使用する材料に応じた適切な注意事項を生成することができる。
【００７６】
また、本実施形態によれば、注意事項は、作業現場の環境を視覚的に示す画像情報である。特に、本実施形態によれば、画像情報は、作業現場を含む地図と、地図上の作業現場に対応する位置に形成された環境を示す所定の図柄と、を備える。
このため、作業現場の環境を視覚的に知らせることができる。
【００７７】
また、本実施形態によれば、作業スケジュールと、作業者とが対応付けられて記憶された工事案件情報テーブルＴ１を備え、サーバ装置１０のＣＰＵ１１は、注意事項に対応する作業現場で作業を行う作業者を工事案件情報テーブルＴ１から抽出し、抽出した作業者の端末装置２０に注意事項を送信する。
このため、実際に作業を行う作業者に有用な情報（注意事項）を送信することができる。
【００７８】
なお、上記実施形態では、サーバ装置１０のＣＰＵ１１による注意事項の出力とは、表示部１４や表示部２４に注意事項を表示することを意味しているが、「出力」とは、端末装置２０への注意事項の送信、或いは紙媒体への注意事項の印刷も含まれる。
【００７９】
また、上記実施の形態における作業管理システム１の各構成要素の細部構成及び細部動作に関しては、本発明の趣旨を逸脱することのない範囲で適宜変更可能であることは勿論である。
【００８０】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
作業現場の環境を示す環境情報を取得する取得手段と、
前記取得手段により取得された前記環境情報と、前記作業現場での作業内容と、に基づいて、前記作業現場の環境における作業別注意事項及び材料別注意事項を生成する生成手段と、
前記生成手段により生成された前記作業別注意事項及び前記材料別注意事項を出力する出力手段と、
を備える作業管理装置。
＜請求項２＞
前記取得手段は、作業現場にある端末装置から前記環境情報を取得する請求項１に記載の作業管理装置。
＜請求項３＞
前記取得手段は、外部ネットワークを介して前記環境情報を取得する請求項１に記載の作業管理装置。
＜請求項４＞
作業名と、前記作業別注意事項を生成する前記環境情報の条件と、作業時の注意事項と、が対応付けられて記憶された作業別注意事項情報記憶手段を備え、
前記生成手段は、前記取得手段により取得された前記環境情報に基づいて、前記作業別注意事項を生成する前記環境情報の条件に該当するか否か判断し、前記条件に該当すると判断した場合、作業現場にて行う作業に対応する作業時に注意事項を前記作業別注意事項情報記憶手段から取得して前記作業別注意事項を生成する請求項１〜３の何れか一項に記載の作業管理装置。
＜請求項５＞
材料名と、前記材料別注意事項を生成する前記環境情報の条件と、作業時の注意事項と、が対応付けられて記憶された材料別注意事項情報記憶手段を備え、
前記生成手段は、前記取得手段により取得された前記環境情報に基づいて、前記材料別注意事項を生成する前記環境情報の条件に該当するか否か判断し、前記条件に該当すると判断した場合、作業現場にて使用する材料に対応する作業時に注意事項を前記材料別注意事項情報記憶手段から取得して前記材料別注意事項を生成する請求項１〜４の何れか一項に記載の作業管理装置。
＜請求項６＞
前記作業別注意事項及び前記材料別注意事項は、作業現場の環境を視覚的に示す画像情報である請求項１〜５の何れか一項に記載の作業管理装置。
＜請求項７＞
前記画像情報は、作業現場を含む地図と、前記地図上の作業現場に対応する位置に形成された環境を示す所定の図柄と、を備えることを特徴とする請求項６に記載の作業管理装置。
＜請求項８＞
作業スケジュールと、作業者とが対応付けられて記憶された案件情報記憶手段を備え、
前記出力手段は、前記作業別注意事項及び前記材料別注意事項に対応する作業現場で作業を行う作業者を前記案件情報記憶手段から抽出し、抽出した作業者の端末装置に前記作業別注意事項及び前記材料別注意事項を送信する請求項１〜７の何れか一項に記載の作業管理装置。
＜請求項９＞
コンピュータを、
作業現場の環境を示す環境情報を取得する取得手段、
前記取得手段により取得された前記環境情報と、前記作業現場での作業内容と、に基づいて、前記作業現場の環境における作業別注意事項及び材料別注意事項を生成する生成手段、
前記生成手段により生成された前記作業別注意事項及び前記材料別注意事項を出力する出力手段、
として機能させるためのプログラム。
【符号の説明】
【００８１】
１  作業管理システム
１０  サーバ装置
１１  ＣＰＵ（取得手段、生成手段、出力手段）
１２  操作部
１４  表示部
１５  記憶部
１５Ａ  プログラム記憶部
１５１  文字注意情報作成プログラム
１５２  画像注意情報作成プログラム
１５Ｂ  データ記憶部
Ｔ１  工事案件情報テーブル（案件情報記憶手段）
Ｔ２  現場位置情報テーブル
Ｔ３  住所情報テーブル
Ｔ４  種類情報テーブル
Ｔ４−１  現場位置情報
Ｔ４−２  個別現場位置情報
Ｔ４−３  値情報
Ｔ５  作業別注意事項情報テーブル（作業別注意事項情報記憶手段）
Ｔ６  材料別注意事項情報テーブル（材料別注意事項情報記憶手段）
Ｔ７  環境情報テーブル
Ｔ８  情報値テーブル
１６  通信部
１７  バス
２０  端末装置
２１  ＣＰＵ
２２  操作部
２４  表示部
２５  記憶部
２５１  文字注意情報表示プログラム
２５２  画像注意情報表示プログラム
２６  通信部
２７  バス
【図１】
0006500424.tif 000002
【図２】
0006500424.tif 000003
【図３】
0006500424.tif 000004
【図４】
0006500424.tif 000005
【図５】
0006500424.tif 000006
【図６】
0006500424.tif 000007
【図７】
0006500424.tif 000008
【図８】
0006500424.tif 000009
【図９】
0006500424.tif 000010
【図１０】
0006500424.tif 000011
【図１１】
0006500424.tif 000012
【図１２】
0006500424.tif 000013
【図１３】
0006500424.tif 000014
【図１４】
0006500424.tif 000015
【図１５】
0006500424.tif 000016
【図１６】
0006500424.tif 000017